(57)【要約】      （修正有）【課題】使用環境の温度変化に伴う熱膨張や内圧の上昇が生じた場合であっても、主シールリップの潤滑を維持して、摺動部の摩耗や異音の発生を抑制することができ、製品寿命を向上することができるオイルシールを提供する。【解決手段】オイルシール１は、金属環１０と、該金属環に保持された弾性体製のシールリップ２０を備える。シールリップ２０は、密封対象をシールする主シールリップ２１と、該主シールリップの外部Ａ側に配置され、且つ主シールリップ２１と一体成形された副シールリップ２２とを備えている。副シールリップ２２は、オイルシール１の内方且つ外部Ａ側に向かって延出した基部と、該基部から更に内方に且つ密閉対象Ｂ側に延出し、回転軸と当接する端部とを有する。【選択図】図１
0003189259.tif 000002
【実用新案登録請求の範囲】
【請求項１】
金属環と、前記金属環に保持された弾性体製のシールリップとを備えるオイルシールであって、
前記シールリップは、被着体である軸と当接して密封対象をシールする主シールリップと、該主シールリップの外部側に配置され、前記主シールリップと一体成形された副シールリップとを備え、
前記副シールリップは、前記オイルシールの内方に向かって延出した基部と、該基部から更に内方に延出し、且つ前記軸と当接する端部とを有し、
前記副シールリップの端部が、前記密封対象側に向かって延出していることを特徴とする、オイルシール。
【請求項２】
前記副シールリップの端部が、前記シールリップの径方向に対して密閉対象側に傾斜した第１傾斜部を有することを特徴とする、請求項１記載のオイルシール。
【請求項３】
前記副シールリップの基部が、前記シールリップの径方向に対して外部側に傾斜した第２傾斜部を有することを特徴とする、請求項１記載のオイルシール。
【請求項４】
前記基部は、前記オイルシールの内方且つ外部側に向かって延出し、
前記端部は、前記オイルシールの内方且つ密閉対象側に向かって延出することを特徴とする、請求項１記載のオイルシール。
【請求項５】
前記主シールリップは、前記軸と当接する頂部と、該頂部近傍に設けられ且つ前記頂部の外部側に形成された第３傾斜部と、前記頂部の近傍に設けられ且つ前記頂部の密閉対象側に形成された第４傾斜部とを有することを特徴とする、請求項１記載のオイルシール。
【請求項６】
前記主シールリップ、前記副シールリップおよび前記軸で画定される空間にグリース組成物が封入されることを特徴とする、請求項５記載のオイルシール。
【請求項７】
前記オイルシールの複数が前記被着体である軸に並設されることを特徴とする、請求項１乃至６のいずれか１項に記載のオイルシール。
【請求項８】
ウォーターポンプの軸に取り付けられることを特徴とする、請求項１記載のオイルシール。
【請求項９】
食器洗浄機に搭載されるウォーターポンプ用オイルシールであることを特徴とする、請求項８記載のオイルシール。
【考案の詳細な説明】
【技術分野】
【０００１】
本考案は、産業機器の軸に使用されるオイルシールに関し、特に食器洗浄機などに搭載されるウォーターポンプ用のオイルシールに関する。
【背景技術】
【０００２】
従来、食器洗浄機に用いられるウォーターポンプでは、ポンプ部分とモータ部分との間の軸受け部近傍にオイルシールが配置されている。例えば、従来のオイルシール１００は、図４に示すように、金属環１１０と、該金属環に保持された弾性体製のシールリップ１２０と、シールリップ１２０に嵌着されたガータースプリング１３０とを備えている。シールリップ１２０は、密封対象をシールする主シールリップ１２１と、該主シールリップの外部Ａ’側（モータ側）に配置された副シールリップ１２２とを有している。
【０００３】
また、ウォーターポンプ用オイルシールでの密閉対象は、潤滑性の乏しい水または温水であり、通常、オイルシール１００の摺動部近傍、具体的には主シールリップ１２１と副シールリップ１２２との間に、グリース組成物１４０が塗布される。
【考案の概要】
【考案が解決しようとする課題】
【０００４】
しかしながら、上記従来のオイルシールでは、副シールリップが外部側に延出しているため、使用環境の温度変化に伴う熱膨張や内圧の上昇が生じると、副シールリップと被着体である軸との間に隙間が生じ、グリース組成物が外部側に漏れ出し易くなる。このため、主シールリップの潤滑が不足し、摺動部の摩耗や異音（鳴き）が発生するという問題がある。
【０００５】
また、他の従来のオイルシールとして、主シールリップと、主シールリップの外部側近傍に配置され、外部側に向かって延出する副シールリップと、該副シールリップの更に外部側に前記主シールリップと別体で設けられ、密閉対象側に向かって延出する他のシールリップを有するものがある。しかし、この構成でも、副シールリップが外部側に向かって延出しているため、上記熱膨張や内圧の上昇の影響により、主シールリップと副シールリップの間のグリース組成物が、副シールリップと他のシールリップとの間に漏れ出す可能性がある。このため、依然として主シールリップの潤滑が不足するという懸念が生じる。
【０００６】
本考案の目的は、使用環境の温度変化に伴う熱膨張や内圧の上昇が生じた場合であっても、主シールリップの潤滑を維持して、摺動部の摩耗や異音の発生を抑制することができ、製品寿命を向上することができるオイルシールを提供することにある。
【課題を解決するための手段】
【０００７】
上記目的を達成するために、本考案のオイルシールは、金属環と、前記金属環に保持された弾性体製のシールリップとを備えるオイルシールであって、前記シールリップは、被着体である軸と当接して密封対象をシールする主シールリップと、該主シールリップの外部側に配置され、前記主シールリップと一体成形された副シールリップとを備え、前記副シールリップは、前記オイルシールの内方に向かって延出した基部と、該基部から更に内方に延出し、且つ前記軸と当接する端部とを有し、前記副シールリップの端部が、前記密封対象側に向かって延出していることを特徴とする。
【０００８】
また、前記副シールリップの端部が、前記シールリップの径方向に対して密閉対象側に傾斜した第１傾斜部を有している。
【０００９】
また、前記副シールリップの基部が、前記シールリップの径方向に対して外部側に傾斜した第２傾斜部を有する。
【００１０】
好ましくは、前記基部は、前記オイルシールの内方且つ外部側に向かって延出し、前記端部は、前記オイルシールの内方且つ密閉対象側に向かって延出している。
【００１１】
また好ましくは、前記主シールリップは、前記軸と当接する頂部と、該頂部近傍に設けられ且つ前記頂部の外部側に形成された第３傾斜部と、前記頂部の近傍に設けられ且つ前記頂部の密閉対象側に形成された第４傾斜部とを有する。
【００１２】
そして、前記主シールリップ、前記副シールリップおよび前記軸で画定される空間にグリース組成物が封入されるのが好ましい。
【００１３】
より好ましくは、前記オイルシールの複数が、前記被着体である軸に並設される。
【００１４】
更に好ましくは、前記オイルシールは、ウォーターポンプの軸に取り付けられる。
【００１５】
更に好ましくは、前記オイルシールは、食器洗浄機に搭載されるウォーターポンプ用オイルシールである。
【考案の効果】
【００１６】
本考案によれば、副シールリップの端部が、密封対象側に向かって延出し、被着体である軸と当接するので、熱膨張や内圧の上昇が生じた場合でも、副シールリップと軸との間に隙間が生じるのを抑制することができ、主シールリップと副シールリップの間の密閉性を維持することができる。よって、主シールリップと副シールリップの間にグリース組成物を封入した場合、当該グリース組成物が外部側に漏れ出し難く、主シールリップの潤滑を維持することができる。したがって、主シールリップの摺動部の摩耗や異音の発生を抑制し、もって製品寿命を向上することが可能となる。
【００１７】
また、主シールリップ、副シールリップおよび軸で画定される空間にグリース組成物を封入することで、当該空間がグリース溜まりとなり、主シールリップの潤滑を長期的に維持することができ、主シールリップの摩耗や異音の発生を確実に抑制することができる。
【００１８】
さらに、本考案のオイルシールの単体又は複数を、ウォーターポンプの軸に並設することにより、上記効果をより確実に奏することができる。
【図面の簡単な説明】
【００１９】
【図１】本考案の実施形態に係るオイルシールの構成を概略的に示す部分断面図である。
【図２】図１におけるシールリップの拡大断面図であり、オイルシールにグリース組成物が塗布された状態を示す。
【図３】２個のオイルシールがウォーターポンプ内の軸に取り付けられた状態を示す部分断面図である。
【図４】従来のオイルシールの構成を示す部分断面図である。
【考案を実施するための形態】
【００２０】
以下、本考案の実施形態を、図面を参照しながら詳細に説明する。
【００２１】
図１は、本考案の実施形態に係るオイルシールの構成を概略的に示す部分断面図である。このオイルシールは、各種機器、特に食器洗浄機のウォーターポンプに使用され、機器内で循環される温水等（以下、密封対象という）をシールすることを目的として軸に装着される。なお、図１のオイルシールは、その一例を示すものであり、本考案に係るオイルシールの構成は、図１のものに限られないものとする。
【００２２】
オイルシール１は、金属環１０と、該金属環に保持された弾性体製のシールリップ２０と、該シールリップに嵌着されたガータースプリング３０とを備えている。オイルシール１は略円環状の部材であり、その環状内空間に被着体である回転軸（図３参照）が挿通されると、ガータースプリング３０の弾性力により、シールリップ２０の内周部が回転軸の外周面に圧接される。
【００２３】
金属環１０は、筒状部１０ａと、該筒状部の外部Ａ側（モータ側）の端部に一体成形されたフランジ部１０ｂとを有しており、その径方向断面は略Ｌ字型である。この金属環１０にシールリップ２０が加硫接着される。
【００２４】
シールリップ２０は、密封対象をシールする主シールリップ２１と、該主シールリップの外部Ａ側に配置され、且つ主シールリップ２１と一体成形された副シールリップ２２とを備えている。シールリップ２０は、合成ゴムなどのエラストマーで成形されている。
【００２５】
主シールリップ２１は、径方向断面略Ｖ字型であり、その頂部が回転軸の外周面に摺動可能に圧接する。具体的には、図２に示すように、主シールリップ２１は、回転軸の外周面に圧接する頂部２３と、該頂部の近傍に設けられ且つ頂部２３の外部Ａ側に形成された傾斜部２４（第３傾斜部）と、頂部２３の近傍に設けられ且つ該頂部の密封対象Ｂ側（ポンプ側）に形成された傾斜部２５（第４傾斜部）とを有している。傾斜部２４は、頂部２３に関して傾斜部２５の反対側に形成されている。
【００２６】
副シールリップ２２は、フランジ部１０ｂ端面の内方に配置された舌片状の部位であり、傾斜部２４より外部Ａ側に配置されている。オイルシール１が回転軸に装着された際には、副シールリップ２２の端部が、回転軸の外周面に当接または圧接し、回転軸の回転に伴って外周面上で摺動する。
【００２７】
この副シールリップ２２は、オイルシール１の内方且つ外部Ａ側に向かって延出した基部２６と、該基部から更に内方に且つ密閉対象Ｂ側に延出し、回転軸と当接する端部２７とを有している。すなわち本考案では、副シールリップ２２の端部２７が、密封対象Ｂ側に向かって延出している点で、従来構成と大きく異なる。
【００２８】
より具体的には、副シールリップ２２の基部２６は、シールリップ２０の径方向に対して外部Ａ側に傾斜した傾斜部２８（第２傾斜部）を有し、端部２７は、上記径方向に対して密閉対象Ｂ側に傾斜した傾斜部２９（第１傾斜部）を有している。図２において主シールリップ２１が配置された側をオイルシール１の上側、副シールリップ２が配置された側をオイルシール１の下側と仮定したとき、基部２６は、水平方向に対して所定角度で下方に延出しており、基部２６上に、傾斜部２８としての斜面が形成されている。また、端部２７は、水平方向に対して所定角度で上方に延出しており、端部２７上に、傾斜部２９としての斜面が形成されている。
【００２９】
また、本考案では、主シールリップ２１と副シールリップ２２の間にグリース組成物４０が塗布される。具体的には、グリース組成物４０は、主シールリップ２１、副シールリップ２２および回転軸で画定される空間にグリース組成物が封入される。これにより、オイルシール１が回転軸に装着された際、グリース組成物４０は、主シールリップ２１の傾斜部２４、回転軸の外周面および補助シールリップ２２の傾斜部２８，２９で画定される空間にほぼ隙間無く充填される。このように、本考案では上記空間がグリース保持部としての機能を有することとなる。
【００３０】
グリース組成物４０は、基油、増稠剤および添加剤を主成分とする半固体または固体状の潤滑剤であり、金属と樹脂との摺動部に使用される一般的なグリース組成物、例えば、石けん系グリースや非石けん系グリース、特殊環境で使用される特殊グリースである。本考案で使用されるグリース組成物としては、例えば、基油がシリコーン油、増稠剤がＰＴＦＥからなるＮＯＫクリューバー社製「ＳＥＡＬＵＢ  Ｓ−８」などが挙げられる。
【００３１】
図３は、２個のオイルシール１がウォーターポンプ内の回転軸に取り付けられた状態を示す部分断面図である。
【００３２】
オイルシールをウォーターポンプ内のポンプ部分とモータ部分の間に使用する場合には、通常、回転軸にオイルシールが２個取り付けられる。よって本考案のオイルシールをウォーターポンプに適用する場合、図３に示すように、２個のオイルシール１Ａ，１Ｂがウォーターポンプの回転軸５０に装着されてもよい。
【００３３】
このとき、オイルシール１Ａ，１Ｂは、ウォーターポンプの回転軸５０に並設され、オイルシール１Ａが外部Ａ側に、オイルシール１Ｂが密閉対象Ｂ側にそれぞれ配置される。このとき、オイルシール１Ａの副シールリップ２２と、オイルシール１Ｂの副シールリップ２２の双方が、密閉対象Ｂ側に延出しており、且つ回転軸５０に当接または圧接する。本構成では、オイルシール１Ａの副シールリップ２２が、ウォーターポンプ内での温度変化の影響を受け難いため、オイルシール１Ａの副シールリップ２２と回転軸５０との間に隙間が生じる可能性が極めて低い。よって、オイルシール１Ａで、主シールリップ２１と副シールリップ２２の間の密閉性が格段に向上する。
【００３４】
上述したように、本実施形態によれば、副シールリップ２２の端部２７が、密封対象Ｂ側に向かって延出し、被着体である回転軸と当接するので、熱膨張や内圧の上昇が生じた場合でも、副シールリップ２２と回転軸との間に隙間が生じるのを抑制することができ、主シールリップ２１と副シールリップ２２の間の密閉性を維持することができる。よって、主シールリップ２１と副シールリップ２２の間にグリース組成物４０を封入した場合、グリース組成物４０が外部Ａ側に漏れ出し難く、主シールリップ２１の潤滑を維持することができる。したがって、主シールリップ２１の摺動部の摩耗や異音の発生を抑制することができ、ウォーターポンプや食器洗浄機などの製品寿命を向上することが可能となる。
【００３５】
また、主シールリップ２１、副シールリップ２２および回転軸で画定される空間にグリース組成物４０を封入することで、当該空間がグリース溜まりとなり、主シールリップ２１、特に摺動部となる頂部２３の潤滑を長期的に維持することができ、主シールリップ２１の摩耗や異音の発生を確実に抑制することができる。
【００３６】
特に、食器洗浄機に使用されるウォーターポンプでは、使用環境の温度変化が大きく、また、長期的に使用される場合がある。このような使用環境において、本考案のオイルシール１をウォーターポンプのモータ軸に取り付けることにより、上記効果を確実に奏することができる。
【００３７】
さらに、本考案の２つのオイルシール１Ａ，１Ｂを、ウォーターポンプのモータ軸に並設することにより、上記効果をより確実に奏することができる。
【００３８】
以上、上記実施形態に係るオイルシールについて述べたが、本考案は記述の実施形態に限定されるものではなく、本考案の技術思想に基づいて各種の変形および変更が可能である。
【００３９】
例えば、上記実施形態では、オイルシールは１つの金属環を備えるが、これに限らず、２つの金属環を備えていてもよい。また、金属環は断面略Ｌ型であるが、Ｕ字型等、他の形状を有していてもよい。
【００４０】
また、主シールリップは、径方向断面略Ｖ字型であるが、これに限らず、回転軸の外周面に摺動可能に圧接する端部を有していれば、他の形状であってもよい。
【００４１】
また、本考案のシールリップは、ガータースプリングを備えるが、ガータースプリングを備えていなくてもよい。
【産業上の利用可能性】
【００４２】
本考案のオイルシールは、各種産業機器に搭載されるウォーターポンプに好適に用いられ、特に食器洗浄機用オイルシールとして極めて有用である。
【符号の説明】
【００４３】
１  オイルシール
１０  金属環
１０ａ  筒状部
１０ｂ  フランジ部
２０  シールリップ
２１  主シールリップ
２２  副シールリップ
２３  頂部
２４  傾斜部
２５  傾斜部
２６  基部
２７  端部
２８  傾斜部
２９  傾斜部
３０  ガータースプリング
４０  グリース組成物
５０  回転軸
【図１】
0003189259.tif 000003
【図２】
0003189259.tif 000004
【図３】
0003189259.tif 000005
【図４】
0003189259.tif 000006
【手続補正書】
【提出日】平成25年12月13日(2013.12.13)
【手続補正１】
【補正対象書類名】明細書
【補正対象項目名】００３０
【補正方法】変更
【補正の内容】
【００３０】
グリース組成物４０は、基油、増稠剤および添加剤を主成分とする半固体または固体状の潤滑剤であり、金属と樹脂との摺動部に使用される一般的なグリース組成物、例えば、石けん系グリースや非石けん系グリース、特殊環境で使用される特殊グリースである。本考案のグリース組成物は、基油がシリコーン油、増稠剤がＰＴＦＥからなる。グリース組成物としては、ＮＯＫクリューバー社製「ＳＥＡＬＵＢ  Ｓ−８」が使用された。